(57)【要約】【課題】内蔵電源の輻射熱による破壊、降雨や散水による回路の破壊、樹脂製ハウジングの紫外線による劣化という問題がない、長寿命で、照射領域のムラが少ない、動植物育成用電球型ＬＥＤ照明装置を提供する。【解決手段】方形の基板上に複数のＬＥＤ光源を配置した光源部と、前記ＬＥＤ光源を挟んで前記基板と反対側に設けられたクリアカバー板と、前記光源部及び前記クリアカバー板が取り付け可能なハウジングと、側板とからなる個別の内部電源部を設けない平板型ＬＥＤ照明装置であって、金属材料からなるハウジングの断面形状が前記方形の基板上に複数のＬＥＤ光源を配置した光源部に向かって末広がりとなる形状を有するものを提供する。【選択図】図４Ａ
0003173957.tif 000002
【実用新案登録請求の範囲】
【請求項１】
方形の基板上に複数のＬＥＤ光源を配置した光源部と、前記ＬＥＤ光源を挟んで前記基板と反対側に設けられたクリアカバー板と、前記光源部及び前記クリアカバー板が取付可能なハウジングと、側板とからなる平板型ＬＥＤ照明装置であって、前記光源部がクリアコーティングされたことを特徴とする平板型ＬＥＤ照明装置。
【請求項２】
前記ハウジングの断面形状が前記方形の基板上に複数のＬＥＤ光源を配置した光源部に向かって末広がりとなる形状を有するものであることを特徴とする請求項１に記載した平板型ＬＥＤ照明装置。
【請求項３】
前記ハウジングは、金属材料からなることを特徴とする請求項１または請求項２のいずれかに記載した平板型ＬＥＤ照明装置。
【請求項４】
前記側版またはハウジングの頂部に係合部が設けられていることを特徴とする請求項１乃至請求項３のいずれか１つに記載した平板型ＬＥＤ照明装置。
【請求項５】
個別の内部電源部を設けないことを特徴とする請求項１乃至請求項４のいずれか１つに記載した平板型ＬＥＤ照明装置。
【考案の詳細な説明】
【技術分野】
【０００１】
本考案は、農漁業、畜産業において用いる動植物育成用照明装置に関する。具体的には、農家が屋内外で電照菊、種苗等の植物を栽培し、または鶏卵、食用鶏、魚等の飼育を行う場合に使用される動植物の育成を目的とした発光ダイオード（以下、「ＬＥＤ」という。）を照明用光源とする平板型ＬＥＤ照明装置に関する。
【背景技術】
【０００２】
動植物育成用照明装置は、植物の成長促進、動物の食欲を増進による成長促進を目的とする照明装置であって、ビニールハウス、屋外農場、養鶏場、養殖場で使用されている。近年では、省電力化を図るという観点、植物による光合成は、赤色系の長波長側で変換効率が高い等の特定波長を求められている点から、ＬＥＤ照明装置が使用されている（特許文献１〜３）。
【先行技術文献】
【特許文献】
【０００３】
【特許文献１】特開２００８−２２８１２号公報
【特許文献２】特開２００９−２８９５０４号公報
【特許文献３】特開２０１１−２００２０４号公報
【考案の概要】
【考案が解決しようとする課題】
【０００４】
動植物育成用ＬＥＤ照明装置の多くは、電球型ＬＥＤ照明を使用した装置である。電球型ＬＥＤ照明は、電源を内蔵しており、Ｅ２６口金のソケットに接続して使用するため、屋外で使用する場合は、輻射熱により内部温度が高くなって電源が破壊されるという問題がある。また、降雨や散水により電球型ＬＥＤ内部に水が溜り、回路が破壊されるという問題がある。さらには、紫外線により露出している樹脂部分が劣化してボロボロになるという問題がある。このため、電球型ＬＥＤ照明の寿命が極端に短縮され、交換頻度が高くなり、省電力化を図るという目的は達成できても、維持費が高くなるという新たな問題が生じる。
また、電球型ＬＥＤ照明の照射域は光源を中心とした円形であり、電球型ＬＥＤ照明を複数連ねて照明装置を構成した場合に照射領域のムラが生じ、動植物の育成にバラツキが発生するという問題もある。
【０００５】
本考案は、上記課題を解決し、耐久性が高く、照射領域にムラが生じにくい動植物育成用ＬＥＤ照明装置を提供することを目的とする。
【課題を解決するための手段】
【０００６】
本考案は、以下の考案特定事項により達成できる。
【０００７】
＜１＞方形の基板上に複数のＬＥＤ光源を配置した光源部と、前記ＬＥＤ光源を挟んで前記基板と反対側に設けられたクリアカバー板と、前記光源部及び前記クリアカバー板が取り付け可能なハウジングと、側板とからなる平板型ＬＥＤ照明装置であって、前記光源部がクリアコーティングされたことを特徴とする平板型ＬＥＤ照明装置である。ＬＥＤ光源表面にクリアコーティングを施し、その外側にクリアカバー板を装着することで、外部環境からＬＥＤ光源部を保護することができ、平板型ＬＥＤ照明装置そのものに電源を内蔵していないため、電源を別途単独で外部環境から保護することができるからである。また、基板を方形、特に長方形とすることで、照射領域が長く均一となり、照射領域のムラが改善されるからである。
【０００８】
＜２＞前記ハウジングの断面形状が前記方形の基板上に複数のＬＥＤ光源を配置した光源部に向かって末広がりとなる形状を有するものであることを特徴とする前記＜１＞に記載した平板型ＬＥＤ照明装置である。ハウジングの断面形状を末広がり、例えば三角形状、釣鐘形状、半円形状とすることで、降雨や散水により電球型ＬＥＤ内部に水が溜り、回路が破壊されることが回避されるからである。
【０００９】
＜３＞前記ハウジングは、金属材料からなることを特徴とする前記＜１＞または＜２＞のいずれかに記載した平板型ＬＥＤ照明装置である。金属材料を採用することで、樹脂のように紫外線による劣化を防ぐことができるからである。
【００１０】
＜４＞前記側版またはハウジングの頂部に係合部が設けられていることを特徴とする前記＜１＞乃至＜３＞のいずれかに記載した平板型ＬＥＤ照明装置である。係合部を設けることで設置場所に平板型ＬＥＤ照明装置を取り付けることができ、また、複数の平板型ＬＥＤ照明装置を繋ぐことができるからである。
【００１１】
＜５＞個別の内部電源部を設けないことを特徴とする前記＜１＞乃至＜４＞のいずれかに記載した平板型ＬＥＤ照明装置である。平板型ＬＥＤ照明装置とすることで、電源を外付けすることができ、電源単独の保護が可能となり、輻射熱による電源の破損を防ぐことができるからである。
【考案の効果】
【００１２】
本考案により、屋外に設置しても耐久性が優れ、照射領域のムラが少なく動植物の育成にバラつきの少ない平板型ＬＥＤ照明装置を提供できる。
【図面の簡単な説明】
【００１３】
【図１】本考案の平板型ＬＥＤ照明装置をハウジング頂部側から示す説明図である。
【図２】本考案の平板型ＬＥＤ照明装置の一例の構成を、側板を外した状態で示した説明図である。
【図３】本考案の平板型ＬＥＤ照明装置の光源部におけるＬＥＤ光源の配置状態の一例を示す説明図である。
【図４Ａ】本考案の平板型ＬＥＤ照明装置の一例を示す説明図である。
【図４Ｂ】本考案の平板型ＬＥＤ照明装置の一例を示す説明図である。
【図４Ｃ】本考案の平板型ＬＥＤ照明装置の一例を示す説明図である。
【図５】本考案の平板型ＬＥＤ照明装置の照射範囲を電球型ＬＥＤ照明装置の照射範囲と比較した説明図である。
【考案を実施するための形態】
【００１４】
以下、図面を参照しながら、本考案の実施の態様である平板型ＬＥＤ照明装置について説明する。
【００１５】
図１は、本考案の平板型ＬＥＤ照明装置１を、ＬＥＤ光源部を上面から覆う役割を果たすハウジング３の頂部側から眺めた説明図（斜視図）である。ハウジング３の両側面には、側板５が設けられ、側板には平板型ＬＥＤ照明装置を係合するための穴（係合部）２が設けられている。なお、係合部は、ハウジング３の頂部に設けることもできる（図示せず）。また、側板５、ハウジング３をボルトナット（図示せず）を介して繋ぐためのボルト穴４が３箇所設けられている。ハウジング３の材料としては、耐久性の観点から金属材料が好ましく、軽量性、価格の観点からは、アルミ、アルミ合金がより好ましい。
【００１６】
図２は、本考案の平板型ＬＥＤ照明装置１の内部構造を、側板５を外した状態で示す説明図（斜視図）である。側板５とハウジング３との間には、防水シーリング材６を用いている。本考案の平板型ＬＥＤ照明装置が屋外で使われることが多いことから、防水性、気密性を確保するためである。防水シーリング材９としては、シリコーンゴム製のものを用いることができる。
ハウジング３内には、方形の基板８上に複数のＬＥＤ光源９を配置した光源部と、ＬＥＤ光源９を挟んで基板８と反対側にクリアカバー板７が設けられている。ＬＥＤ光源９を外部環境から保護するためである。また、ＬＥＤ光源９自体も無着色樹脂（例、アクリル系樹脂、ウレタン系樹脂）によりクリアコーティング処理がされている。クリアカバー板７には、アクリル系樹脂板を用いている。ＬＥＤ光源部とクリアカバー板７は、ハウジング内部に嵌合されている。このような構成にすることで、ＬＥＤ光源部を屋外環境から守ることができ、照明装置の耐久性を高めることができる。
【００１７】
図３は、本考案の平板型ＬＥＤ照明装置１の光源部におけるＬＥＤ光源９の配置状態の一例を示す説明図（平面図）である。ＬＥＤ光源９の配置状態は特に限定されないが、通常は短列、複数列で配置されている。方形基板からなる本考案の平板型ＬＥＤ照明装置としては、列状に配置することがＬＥＤ光源９の配置密度を高めることとなるからである。
【００１８】
図４Ａから図４Ｃは、本考案の平板型ＬＥＤ照明装置１における方形の基板８上に複数のＬＥＤ光源９を配置した光源部とクリアカバー板７の配置状態を、異なる形態のハウジング３について例示した説明図（断面図）である。光源部は、ハウジング３とクリアカバー板７により保護されている。ハウジングの断面形状は、頂部から、方形の基板上に複数のＬＥＤ光源を配置した光源部側（底部側）に向かって末広がりとなる形状を有している。ハウジングの断面形状を末広がり、例えば三角形状、釣鐘形状、半円形状とすることで、降雨や散水により電球型ＬＥＤ内部に水が溜り、回路が破壊されることが回避されるからである。また、電球型ＬＥＤ照明のようにハウジング内に個別の電源を設けていない。電源を外付けすることにより、電源単独の保護が可能となり、輻射熱による電源の破損を防ぐことができるからである。
【００１９】
図５は、本考案の平板型ＬＥＤ照明装置の照射範囲を電球型ＬＥＤ照明装置の照射範囲と比較した説明図（平面図）である。電球型ＬＥＤ照明１１では、照射域１２が光源を中心とした同心円となるのに対し、平板型ＬＥＤ照明１０では、照射域１２が楕円状となって広がる。このため照明を複数連ねて照明装置を構成した場合に照射領域のムラが生じ難くなる。
【産業上の利用可能性】
【００２０】
この考案は、環境に優しく省エネである動植物育成用ＬＥＤ照明装置に利用できる。
【符号の説明】
【００２１】
１  平板型ＬＥＤ照明装置
２  平板型ＬＥＤ照明装置を係合するための穴（係合部）
３  ハウジング
４  ボルト穴
５  側板
６  防水シーリング材
７  クリアカバー板
８  基板
９  ＬＥＤ光源
１０  平板型ＬＥＤ照明
１１  電球型ＬＥＤ照明
１２  照射域
【図１】
0003173957.tif 000003
【図２】
0003173957.tif 000004
【図３】
0003173957.tif 000005
【図４Ａ】
0003173957.tif 000006
【図４Ｂ】
0003173957.tif 000007
【図４Ｃ】
0003173957.tif 000008
【図５】
0003173957.tif 000009